(57)【要約】【課題】  第一の課題、球体循環装置に球体を送り込むことは、回転輪に乗せられる球体の有効重量と、浮上筒に存在する球体と蓄水では、浮上筒の方が数倍の重量である。  第二の課題、水中では浮上するような軽量の球体では、球体が循環運動に必要な諸機器類を駆動することは出来ないので球体を重くすると、球体はなほ更浮上出来ない【解決手段】  第一の課題について、浮上筒の前に、アプロ−チ室を設け、まず最初に水圧の低いアプロ−チ室に球体を送り込んで、それから浮上筒に送り込む。  第二の課題について、球体を重くする、重くした球体は浮上出来ない、そこで支援球体を設けて、球体を強制浮上させる。【選択図】図１
2014156860.tif 000002
【特許請求の範囲】
【請求項１】
浮上筒の前に、閉開弁を備えたアプロ−チ室を設け、アプロ−チ室には排気パイプを設けた球体循環装置において、重くした球体を浮上させる為の、支援球体を備えた球体循環装置。
【請求項２】
浮上筒で支援球体が  球体を背負つて浮上させるために、両球体にピストン型の受け届け機を備えた請求項１記載の、支援球体を備えた球体循環装置。
【請求項３】
受け届け機で浮上筒に運ばれた大小の球体は、アプロ−チ室、閉開弁の力を借り上昇し球体仕分輪で、小は投下筒を経由して回転輪を駆動して、大は落下投へと夫々経由して、出発位置へと循環運動を繰り返すようにした請求項１記載の、支援球体を備えた球体循環装置。
【発明の詳細な説明】
【技術分野】
【０００１】本発明は，支援球体を備えた球体循環装置に関するものである。
【背景技術】
【０００２】本発明の元となつた、「球体循環装置」に拒絶理由通知書が送致されました。
整理番号  Ｔ−００１０                      発送番号  ７０１１２０    １／
発送日  平成２５年１０月２９日
拒絶理由通知書
発明の名称            球体循環装置
特許出願の番号        特願２０１２−０９９２４６
起案日                平成２５年１０月２２日
特許庁審査官          川口  真一                  ９８２２  ３Ｔ００
特許出願人            田中  豊
摘要条文              第３６条
この出願は、次ぎの理由によって拒絶すべきものです。これについて意見がありまし  たら、個の通知書の発送の日から６０日以内に意見書を提出してください。
理  由
理由１
この出願は、発明の詳細な説明の記載が下記の点で、特許法第３６条第４項第１号に規定する用件を満たしていない。
記
発明の詳細な説明の段落［０００６］には、「上述したように本発明の球体循環装置は、何等の消費するエネルギ−発生に必要な資源等は一切必要なく、水力、火力、風力、潮力、太陽光、地熱、石炭等の固形燃料、重油等の液体燃料、天然ガス等の気体燃料、等々のものは一切不要、唯一運転に必要なものは、畜水が自然蒸発等による微少のの補給用の水くらいである。」と記載されており、本願発明は、回転輪を駆動して落下した球体が、受払い機に拾われ、受払い機が回転して、閉会弁が閉じたアプロ−チ室に排出され、その後、開閉弁が開き浮上筒を浮上して、回転輪上部に到達する、そしてこの運動が循環的に行なわれることにより永久運動を行なうことを想定したものであると考える。
しかし、永久運動が、エネルギ−保存則（熱力学第一法則）に反しており実現不可能であることは技術常識である。一見、上記永久運動は実現可能であるとも錯覚され得るが、例えば、図１において、受払い機を回転するのに要するエネルギ−、開閉弁を駆動するのに要するエネルギ−、揚水ポンプを駆動するのに要するエネルギ−、等が必要であり、これらのエネルギ−を重力によるエネルギ−のみから得ることは、エネルギ−保存則に反するものであり不可能である。                                                    ）
さらに、発明の詳細な説明の段落［００１０］には、「（Ｌ）このときアプロ−チ室２４は、球体１を受け入れるために、浮上筒３３の水圧を隔離するために、閉会弁２７が閉と作動シテ、アプロ−チ室２４と、浮上筒３３とを遮断する。（Ｍ）球体１が射出されると、アプロ−チ室２４に、球体収容室１７の畜水３４が、球体１と一緒に射出され、これを抵抗なく受入れ処理するために、アプロ−チ室２４に、小径の循環パイプ２５を設けて受入れさせる。（Ｎ）循環パイプ２５には、元々浮上筒３３の畜水水位３５迄、畜水３４があり、そこに球体収容室１７容積分の畜水が、循環パイプ２５を経て、浮上筒３３に送り込まれるので、アプロ−チ室２４内の水圧は、小径の循環パイプ２５内の畜水３４と、アプロ−チ室２４内の畜水３４の重量で軽いので、容易に球体１を送り込める。」との記載があるが、「閉開弁２７を閉じてアプロ−チ室２４と浮上筒３３との連通を遮断した状態においても、アプロ−チ室２４は循環パイプ２５と連通しており、この循環パイプ２５には浮上筒３３の畜水水位３５までの畜水があることを鑑みると、球体収容室１７には、畜水水位３５の高さに相当する水圧がかかることとなり、（すなわち、水圧のおおきさは深さに比例するので、結局、浮上筒３３に連通している場合の水圧と同様の水圧がかかることとなる。）、その水圧を押しのけて球体収容室１７からアプロ−チ室２４に球体１を送り込むことは、相当なエネルギ−を要するものであり、球体１の落下による回転輪２の駆動力により受払い機９を回転させて、カム２０により射出機１４を駆動することはできない。
よって、この出願の発明の詳細な説明は、当業者が請求項１に係る発明を実施することができる程度に明確かつ十分に記載されたものでない。
理由２
この出願は、特許請求の範囲の記載が下記の点で、特許法第３６条第６第２号に規定する用件をみたしていない。
記
請求項１には、「球体循環送致」との記載があが、「球体循環装置」の誤記ではないかよって、請求項１に係る発明は明確でない。
‐‐‐‐‐‐‐‐‐‐‐‐‐‐‐‐‐‐‐‐‐‐‐‐‐‐‐‐‐‐‐‐‐‐‐‐‐‐‐‐
先行技術文献調査結果の記録
・調査した分野    ＩＣＰ
ＦＯ３Ｇ    ３／００
Ｆ０３Ｂ  １７／０４
・先行技術文献    特開２００２−１３８９４４号広報
特開２００８−６４０８４号広報
仏国特許出願公開第２４４５８９９号明細書
実願書４９−９３４５４号（実開昭５１−２１７４８号）のマイクロ                  フイルム
この先行技術文献調査結果の記録は拒絶理由を構成するものではありません。
（以下は必要ないと判断しましたので略）
審査第二部  動力機械    川口  真一
ＴＥＬ．０３（３５８１）１１０１  内線３３９３
【発明の概要】
【発明が解決しようとする課題】
【０００３】  第一の課題として本装置は、回転輪を駆動して落下した球体、又は円盤、（以下球体）を、蓄水浮上筒（以下浮上筒）に送り込むことが、次のような理由で不可能とされていた、、それは駆動する回転輪に移乗した球体の有効重量と、浮上筒内の球体数＋畜水では、浮上筒内の方が数倍の重量である。【０００４】  第二の課題として本装置は、本装置を運転させる球体受け届用の、ピストンＡ、及びＢを駆動するに要するエネルギ−、閉開弁Ａ、及びＢを駆動に要するエネルギ−、球体支分輪を駆動するに要するエルギ−等が必要であり、これらのエネルギ−を得ることは、エネルギ−保存則に反するものであり不可能である。
【課題を解決するための手段】
【０００５】  浮上筒１２の前に、閉会弁１６を施して、アプロ−チ室１４を設けて、球体１を先ず、アプロ−チ室１４に送り込み、次ぎに浮上筒１２に浮上させるように設ける。【０００６】（１）水２の中ではでは自己浮上不可能な、重い球体１にする。
（２）重い球体１を浮上させるために、浮上専門の、支援球体１３を設けて球体１の浮上を支援させる。
【発明の効果】
【０００７】  本発明は、本装置の所謂、永久機関の完成により、何も使わず、何も出さず、のエネルギ−イノベイションが実現され、地球温暖化の防止、限りある資源の枯渇を防止して、人類滅亡にブレ−キをかける一助となす。【０００８】  上述したように本発明の、支援球体を備えた球体循環装置は、何等のエネルギ−発生に必要なもの、即ち、水力、火力、風力、潮力、太陽光、地熱、石炭等の固形燃料、重油等の液体燃料、天然ガス等の気体燃料等々のものは一切不要、唯一運転に必要なものは、始動時の装置充填の普通の水、その後は自然蒸発によるか、装置トラブル時の漏水の補給位である。【０００９】  運転についても、球体が浮上筒内をゆつくり自力浮上するのが基本であるので、重量のあまり重くない球体が回転輪に移乗するもので、設計、材料、製造工作等により、振動、騒音の発生も押さえられ、原材料、排出物の搬入、搬出のための諸々の設備も不要なので、居住地に近接して設置出来、天候、昼夜の別なく、永久機関の名のごとく、定速回転するので、例えば発電に使用すれば、ボルト、アンペアも一定で、電気の三大短所、蓄電、変電、送電の諸設備も殆ど不要であり、従って電気料金も劇的に安価になる。
【図面の簡単な説明】
【００１０】
【図１】  本発明の一部を省略した断面図
【発明を実施するための形態】
【００１１】  以下，本発明の実施の形態を図１に基づいて説明する。
【００１２】  図１において、浮上筒１２を中央に直立（傾斜）させ、右（左）に駆動力を創り出す回転輪３を、左（右）に支援球体１３の循環装置を、土台には球体１を左右に運ぶ、受け届機の、ピストンＡ１０、ピスットンＢ１１を、頭には球体仕分輪１７を配置する。
【００１３】    回転輪３は、水車型の回転転体で、外周に多数の球体収容ポケットを設け、防水気密性のある回転輪カバ−を施して、輪軸を回転自在に設けて、軸にはプ−リ−Ａ４、Ｂ、Ｃを固着する。
【００１４】  回転輪３を駆動して動力を創り出すのは球体１で、強力に駆動するために、球体１を重くする、
【００１５】  重くした球体１は浮上出来ないので、球体１を支援して強力に浮上させる専門の、支援球体１３を設ける。
【００１６】  球体１を，浮上筒１２運ぶのがピストンＡ１０で、支援球体１３を運ぶのはピストンＢ１１である。
【００１７】  ピストンＡ１０、ピストンＢ１１等は、総て回転輪３で駆動されるので、大なる減速を要するので、次ぎのようになす。
【００１８】  回転輪３にプ−リ−Ａ４、Ｂ、Ｃ、これと係合う遊転プ−リ−群１５を設けて、各々間を、ベルトＡ６、Ｂ、Ｃで結ぶ。
【００１９】  回転輪３の球体収容ポケットの、上部から移乗させて、回転輪３を駆動して落下筒９を経て落下する球体１は、ピストンＡ１０にある球体収容穴１８に落下収容される。
【００２０】  球体１を収容したピストンＡ１０は、傘歯車を施して設けた、クランクの上昇運動で浮上筒１２に送られるも、重いので浮上出来ず落下する、其処でピストンＢ１１の出番となる。
【００２１】  ピストンＢ１１は、ピストンＡ１０と交差するように運動して、最も上昇した位置で支援球体１３を、支援球体収容穴２０に収容して下降してくる、このとき、球体１は支援球体１３が収容されてる凹部に落ちるも、支援球体１３は浮上筒１２の下に位置して蓄水２が充満しているので、支援球体１３は球体１を背負うってアプロ−チ室１４に浮上する。
【００２２】  重い球体１を背負うった支援球体１３は、閉開弁Ａ１６、Ｂの作動により、球体１を背負うつて浮上筒１２上端の、球体仕分輪１７に浮上、ここに球体１を収容して、蓄水２がなくなつたところから浮上筒１２の上部に運ぶために、水２の抵抗を少なくした形の球体仕分輪１７を設けて、回転輪３が同調させて駆動する。
【００２３】  球体仕分輪１７は、回転して、留水水位２３より上にある、小径の投下筒８で小径の球体１を投下、径の大きい支援球体１３は、頂上を越えて球体支援落下筒１９の入り口へ、入り口には支援球体１３をブロックするホ−ク状の金具が、傾斜するように施されて、支援球体１３はこの金具に誘導され落下収容される、支援球体落下筒１９の末端部はシリンダ−Ｂに接合される。
【００２４】  本装置にあつては、ピストンＢ１１のピストンリングＢ、Ｃ２５、Ｄが上昇から下降に移動する際に、浮上筒１２と、落下筒９間のシリンダの胴体の長さは、ピストンリングＢ、Ｃ２５が常に浮上筒１２の留水２を、如何なる状態下にあっても完全に防止するように設ける。
【００２５】  本装置の排水については、水２が容易に調達出来る場所では垂れ流し、水２の調達が困難な場所ではシリンダ−ヘッドＡ、Ｂを密閉して、排水パイプ２１を取り付けて、先端を留水水位２３を常時保持出来る水タンクを設ける。
【符号の説明】
【００２６】      １  球体                      １４  アプロ−チ室
２  水、畜水                  １５  遊転プ−リ−群
３  回転輪                    １６  閉開弁Ａ
４  プ−リ−Ａ                １７  球体仕分輪
５  プ−リ−Ｇ                １８  球体収容穴
６  ベルトＡ                  １９  支援球体落下筒
７  ベルトＤ                  ２０  支援球体収容穴
８  投下筒                    ２１  排水パイプ
９  落下筒                    ２２  給水パイプ
１０  ピストンＡ                ２３  畜水水位
１１  ピストンＢ                ２４  ピストンリングＡ
１２  浮上筒                    ２５  ピストンリングＣ
１３  支援球体
【支援球体を備えた球体循環装置の仮説方程式】
【００２７】支援球体を備えた球体循環装置が、回転運動するに必要なエネルギ−を球体で換算、
ピストンＡ      ４                球体仕分輪      ５
ピストンＢ      ６                排水パイプ      ５
閉開弁Ａ      １０                    計        ４０
閉開弁Ｂ      １０
【回転輪の諸元推定値】
【００２８】    回転輪を駆動して回転力を創り出す球体は、総球体ポケットの  ３３％
回転輪が回転するに必要な最低限度の球体移乗数              ４０
回転輪の装備すべき最低総球体ポケット数                  １３５
排水パイプの容積は球体一個増すと                          ３０％ＵＰ
その他については、抵抗値は微増と考えられるので            １０％ＵＰ
球球１個増すと、回転輪で球体１個が創り出す回転力の        ６０％ＵＰ
【図１】
2014156860.tif 000003